(57)【要約】【課題】エッチング精度が高く、製品の表面品質が良く得られるゴルフクラブヘッドのエッチング方法を提供することを目的とする。【解決手段】ゴルフクラブヘッドの表面に遮蔽層を形成する遮蔽層形成工程と、前記ゴルフクラブヘッドの表面が露出するように前記遮蔽層に所定パターンを呈するよう開口を形成する開口形成工程と、前記遮蔽層にエッチング液をスプレー方式により噴付けて、前記開口を通して前記ゴルフクラブヘッドの露出表面をエッチングするエッチング工程と、前記遮蔽層の前記開口以外の部分を除去し、前記ゴルフクラブヘッドの表面を洗浄する除去・洗浄工程とからなることを特徴とするゴルフクラブヘッドのエッチング方法を提供する。【選択図】図１
2007325859.tif 000002
【特許請求の範囲】
【請求項１】
クラブヘッドの表面に遮蔽層を形成する遮蔽層形成工程と、
前記クラブヘッドの表面が露出するように前記遮蔽層に所定のパターンを呈するよう開口を形成する開口形成工程と、
前記遮蔽層にエッチング液をスプレー方式により霧状に噴付けて、前記開口を経て前記クラブヘッドの露出表面をエッチングするエッチング工程と、
前記遮蔽層の前記開口以外の部分を除去し、前記ゴルフクラブヘッドの表面を洗浄する除去・洗浄工程とからなることを特徴とするゴルフクラブヘッドのエッチング方法。
【請求項２】
前記遮蔽層形成工程においては、フォトレジストを用いて前記遮蔽層が形成され、
また、前記開口形成工程においては、所定パターンを有するフォトマスクを介して前記遮蔽層に光を照射したのち、現像し、前記所定パターンを呈した開口を形成することを特徴とする請求項１に記載のゴルフクラブヘッドのエッチング方法。
【請求項３】
前記フォトレジストとしては、ポジ型フォトレジストを用いることを特徴とする請求項２に記載のゴルフクラブヘッドのエッチング方法。
【請求項４】
前記フォトレジストとしては、ネガ型フォトレジストを用いることを特徴とする請求項２に記載のゴルフクラブヘッドのエッチング方法。
【請求項５】
前記遮蔽層形成工程においては、耐蝕性の高い絶縁材料を用いて前記遮蔽層が形成されることを特徴とする請求項１に記載のゴルフクラブヘッドのエッチング方法。
【請求項６】
前記開口形成工程においては、前記フォトマスクを介して前記遮蔽層に光を照射し、前記フォトマスクの所定パターンに対応して感光領域を形成し、該感光領域を現像除去して該所定パターンに対応する前記開口を形成することを特徴とする請求項３に記載のゴルフクラブヘッドのエッチング方法。
【請求項７】
前記開口形成工程においては、前記フォトマスクを介して前記遮蔽層に光を照射し、前記フォトマスクの所定パターンに対応して感光領域を形成し、前記遮蔽層の該感光領域以外の部分を現像除去して該所定パターンに対応する前記開口を形成することを特徴とする請求項４に記載のゴルフクラブヘッドのエッチング方法。
【請求項８】
前記開口形成工程においては、レーザービームにより前記遮蔽層に光を当てて該遮蔽層に該所定パターンに対応する前記開口を形成することを特徴とする請求項５に記載のゴルフクラブヘッドのエッチング方法。
【請求項９】
前記開口形成工程においては、レーザービームにより前記遮蔽層に光を当てて該遮蔽層に該所定パターンに対応する前記開口を形成することを特徴とする請求項６または７に記載のゴルフクラブヘッドのエッチング方法。
【発明の詳細な説明】
【技術分野】
【０００１】
本発明は、エッチング方法に関し、特にゴルフクラブヘッドを製造する際に用いられるゴルフクラブヘッドのエッチング方法に関する。
【背景技術】
【０００２】
ゴルフクラブヘッドの製造工程において、ヘッド本体の表面に製品名や登録商標、型番、ロゴマークなどのラベルを付けたり、フェースに刻目を付けたりするのによくフォトマスクエッチング方法が用いられる。
【０００３】
このフォトマスクエッチング方法は、通常、まずクラブヘッドの表面にフォトレジストを塗布し、フォトレジスト膜を形成し、そして露光、現像により所定パターン（即ち、前記のようなラベルやフェースの刻目など）に対応してクラブヘッドの表面が露出するよう前記フォトレジスト膜の一部を溶かして取り除く。更に、クラブヘッドをエッチング液中に浸し、クラブヘッドの露出部をエッチングする。その後、残りのフォトレジスト膜を剥離し、クラブヘッドの表面を洗浄する工程を経て所定パターンが形成されたクラブヘッドが得られる。
【０００４】
しかしながら、前記方法では、エッチング工程においてクラブヘッド全体をエッチング液中に浸漬して行われるため、エッチング液がクラブヘッド表面の所定箇所に作用する精度が制御し難く、エッチングの深さ、寸法がばらつき、前記パターンの出来映えが悪く、製品の表面品質の均一性と外観がよくない。
【発明の開示】
【発明が解決しようとする課題】
【０００５】
本発明は、前記問題点に鑑みてなされたものであり、エッチング精度が高く、製品の表面品質が良く得られるクラブヘッドのエッチング方法を提供することを目的とする。
【課題を解決するための手段】
【０００６】
前記目的を達成するため、本発明のゴルフクラブヘッドのエッチング方法は、クラブヘッドの表面に遮蔽層を形成する遮蔽層形成工程と、前記クラブヘッドの表面が露出するように前記遮蔽層に所定のパターンを呈するよう開口を形成する開口形成工程と、前記遮蔽層にエッチング液をスプレー方式により霧状に噴付けて、前記開口を経て前記クラブヘッドの露出表面をエッチングするエッチング工程と、前記遮蔽層の前記開口以外の部分を除去し、前記クラブヘッドの表面を洗浄する除去・洗浄工程とからなることを特徴とする。
【０００７】
前記遮蔽層形成工程においては、フォトレジストを用いて前記遮蔽層が形成され、また、前記開口形成工程においては、所定パターンを有するフォトマスクを介して前記遮蔽層に光を照射したのち、現像し、前記所定パターンを呈した開口を形成する。
【０００８】
なお、前記フォトレジストとしては、ポジ型フォトレジスト、もしくはネガ型フォトレジストを用いてもよい。
【０００９】
フォトレジストとしてポジ型フォトレジストを用いるとき、前記開口形成工程においては、前記フォトマスクを介して前記遮蔽層に光を照射し、前記フォトマスクの所定パターンに対応して感光領域を形成し、該感光領域を現像除去して該所定パターンに対応する前記開口を形成する。または、前記開口形成工程においては、レーザービームにより前記遮蔽層に所定パターンに対応する前記開口を形成することもできる。
【００１０】
フォトレジストとしてネガ型フォトレジストを用いるとき、前記開口形成工程においては、前記フォトマスクを介して前記遮蔽層に光を照射し、前記フォトマスクの所定パターンに対応して感光領域を形成し、前記遮蔽層の該感光領域以外の部分を現像除去して該所定パターンに対応する前記開口を形成する。または、前記開口形成工程においては、レーザービームにより前記遮蔽層に所定パターンに対応する前記開口を形成することもできる。
【００１１】
また、遮蔽層形成工程においては、耐蝕性の高い絶縁材料を用いて前記遮蔽層が形成されることもできる。そして、前記開口形成工程においては、レーザービームにより前記遮蔽層に光を当てて該遮蔽層に該所定パターンに対応する前記開口を形成する。
【発明の効果】
【００１２】
前記ゴルフクラブヘッドのエッチング方法によると、エッチング工程において、従来ゴルフクラブヘッド全体をエッチング液中に浸漬することに代って、例えばスプレー装置によりエッチング液をゴルフクラブヘッドに対し均一に噴付けするので、エッチングの深さ、寸法が精度良く制御されることができ、精密なパターンの微細加工が得られる上、品質が均一な製品が得られる。
【発明を実施するための最良の形態】
【００１３】
以下、図面を参照しながら本発明の実施形態を説明する。
図１は、本発明に係るゴルフクラブヘッドのエッチング方法の概略工程を示すフローチャートである。図２は、該ゴルフクラブヘッドのエッチング方法の第１の実施形態を説明する図である。図３は、該ゴルフクラブヘッドのエッチング方法の第２の実施形態を説明する図である。図４は、該ゴルフクラブヘッドのエッチング方法の第３の実施形態を説明する図である。
【００１４】
図１に示すように、本発明に係るゴルフクラブヘッドのエッチング方法は、主としてクラブヘッドの表面に遮蔽層を形成する遮蔽層形成工程（ステップＳ１）と、前記クラブヘッドの表面が露出するように前記遮蔽層に所定パターンを呈するよう開口を形成する開口形成工程（ステップＳ２）と、前記遮蔽層にエッチング液をスプレー方式により霧状に噴付けて、前記開口を経て前記クラブヘッドの露出表面をエッチングするエッチング工程（ステップＳ３）と、前記遮蔽層の前記開口以外の部分を除去し、前記クラブヘッドの表面を洗浄する除去・洗浄工程（ステップＳ４）とからなる。
【００１５】
図２に示すように、本発明に係るゴルフクラブヘッドのエッチング方法の第１の実施形態は、まずステップＳ１において、クラブヘッド５の表面にポジ型フォトレジストを用いて遮蔽層６を形成する。
【００１６】
次に、ステップＳ２において、所定パターン（即ち、前記のようなラベルやフェースの刻目など）を有するフォトマスク（図示せず）を介してレーザービーム７で遮蔽層６に照射し、フォトマスクの所定パターンに対応して、分解により現像液に可溶となる感光領域６０を形成し、該感光領域６０を現像除去してクラブヘッド５の表面が露出するように該所定パターンに対応する開口６１を形成する。ここで、レーザービームを使用しているが、レーザービームのほか紫外線、Ｘ線、電子ビームなどを用いてもよい。
【００１７】
そして、ステップＳ３において、遮蔽層６にエッチング液をスプレー方式により霧状に均一に噴付けて、開口６１を通してクラブヘッド５の露出表面をエッチングすることによりクラブヘッド５の表面に該所定パターン５１を形成する。
【００１８】
その後、ステップＳ４において、遮蔽層６の開口６１以外の部分６２を例えば有機溶剤により除去し、更にクラブヘッド５の表面を水などで洗浄する。
【００１９】
このようにして、クラブヘッド５の表面に該所定パターン５１が形成されたクラブヘッドが得られる。
【００２０】
図３は、本発明に係るゴルフクラブヘッドのエッチング方法の第２の実施形態を説明する図である。本発明に係るゴルフクラブヘッドのエッチング方法の第２の実施形態は前記第１の実施形態とほぼ同じが、その相違点は、ポジ型フォトレジストの代りにネガ型フォトレジストを用いて遮蔽層６を形成することにある。
【００２１】
図３に示すように、本発明に係るゴルフクラブヘッドのエッチング方法の第２の実施形態は、まずステップＳ１において、クラブヘッド５の表面にネガ型フォトレジストを用いて遮蔽層６を形成する。
【００２２】
次に、ステップＳ２において、所定パターン（即ち、前記のようなラベルやフェースの刻目など）を有するフォトマスク（図示せず）を介してレーザービーム７で遮蔽層６に照射し、フォトマスクの所定パターンに対応して、重合または架橋により現像液に不溶または難溶となる感光領域６３を形成し、遮蔽層６の該感光領域６３以外の部分６４を現像除去してゴルフクラブヘッド５の表面が露出するように該所定パターンに対応する開口６１を形成する。ここで、第１の実施形態と同じくレーザービームを使用しているが、レーザービームのほか紫外線、Ｘ線、電子ビームなどを用いてもよい。
【００２３】
そして、ステップＳ３において、遮蔽層６にエッチング液をスプレー方式により霧状に均一に噴付けて、開口６１を経てクラブヘッド５の露出表面をエッチングすることによりクラブヘッド５の表面に該所定パターン５１を形成する。
【００２４】
その後、ステップＳ４において、遮蔽層６の開口６１以外の部分６３（感光領域）を例えば有機溶剤により除去し、更にクラブヘッド５の表面を水などで洗浄する。
【００２５】
このようにして、クラブヘッド５の表面に該所定パターン５１が形成されたクラブヘッドが得られる。
【００２６】
図４は、本発明に係るゴルフクラブヘッドのエッチング方法の第３の実施形態を説明する図である。
図４に示すように、本発明に係るゴルフクラブヘッドのエッチング方法の第３の実施形態は、まずステップＳ１において、クラブヘッド５の表面に耐蝕性の高い絶縁材料（例えば絶縁ペンキ、ワックス、高分子化合塗料などが挙げられる）を用いて遮蔽層６を形成する。
【００２７】
次に、ステップＳ２において、低パワー（約１Ｗ〜２００Ｗ）のＣＯ２レーザービーム８で遮蔽層６に光を当てて、クラブヘッド５の表面が露出するように遮蔽層６に所定パターンを呈するよう開口６１を形成する。ここで、ＣＯ２レーザービーム８が遮蔽層６に対して精密な穿鑿加工を行うことができる特性を利用することにより、開口６１の処理精度が高められる。なお、レーザービームとして、Ａｒレーザビーム、ＹＡＧレーザビームを使うこともできる。
【００２８】
そして、ステップＳ３において、遮蔽層６にエッチング液をスプレー方式により霧状に均一に噴付けて、開口６１を経てクラブヘッド５の露出表面をエッチングすることによりクラブヘッド５の表面に該所定パターン５１を形成する。
【００２９】
その後、ステップＳ４において、遮蔽層６の開口６１以外の部分６５を例えば有機溶剤により除去し、更にクラブヘッド５の表面を水などで洗浄する。
【００３０】
このようにして、クラブヘッド５の表面に該所定パターン５１が形成されたクラブヘッドが得られる。
【００３１】
以上、本発明の好適な実施形態について説明したが、本発明は前記実施形態に限定して狭義に解釈されるものではなく、即ち本発明の精神の範囲内において種々の変形や変更が可能である。
【産業上の利用可能性】
【００３２】
本発明のゴルフクラブヘッドのエッチング方法によれば、エッチングの深さ、寸法が精度良く制御されることができ、精密なパターンの微細加工が得られる上、品質が均一な製品が得られる。
【図面の簡単な説明】
【００３３】
【図１】本発明に係るゴルフクラブヘッドのエッチング方法の概略工程を示すフローチャート。
【図２】該ゴルフクラブヘッドのエッチング方法の第１の実施形態を説明する図。
【図３】該ゴルフクラブヘッドのエッチング方法の第２の実施形態を説明する図。
【図４】該ゴルフクラブヘッドのエッチング方法の第３の実施形態を説明する図。
【符号の説明】
【００３４】
５    ゴルフクラブヘッド
５１  所定パターン
６    遮蔽層
６０  感光領域
６１  開口
６２  遮蔽層の開口以外の部分
６３  感光領域
６４  遮蔽層の感光領域６３以外の部分
６５  遮蔽層の開口以外の部分
７    レーザービーム
８    ＣＯ２レーザービーム
【図１】
2007325859.tif 000003
【図２】
2007325859.tif 000004
【図３】
2007325859.tif 000005
【図４】
2007325859.tif 000006